(57)【要約】【目的】床暖房の場合のように、厚さの異なる床板同士を連結する場合であっても、異なる床板厚に対応する厚さの板を別途準備し且つ施工する必要がなく、コスト増および煩雑化を招くことなく効率的に施工することができる、新規な床板の連結構造を提供する。【構成】一方木口縁に沿って雄実２５が形成されるとともに他方木口縁に沿って雌実２６が形成された第１の床板（暖房用床板１０）と、第１の床板より厚いものであって一方木口縁に沿って雌実２９（または雄実３０）が形成された第２の床板（周辺床板１１ａ）と、第１の床板の実（雄実２５）に嵌合可能な実（雌実２７）が一方木口縁に沿って形成されるとともに第２の床板の実（雌実２９）に嵌合可能な実（雄実２８）が他方木口縁に沿って形成された第３の床板（調整床板１２ａ）とからなり、第１の床板と第２の床板とが第３の床板を介して連結されることを特徴とする床板の連結構造である。【選択図】      図５    
2005048559.tif 000002
【特許請求の範囲】
【請求項１】
一方木口縁に沿って雄実が形成されるとともに他方木口縁に沿って雌実が形成された第１の床板と、第１の床板より厚いものであって一方木口縁に沿って雄実が形成されるとともに他方木口縁に沿って雌実が形成された第２の床板と、第１の床板の実に嵌合可能な実が一方木口縁に沿って形成されるとともに第２の床板の実に嵌合可能な実が他方木口縁に沿って形成された第３の床板とからなり、第１の床板と第２の床板とが第３の床板を介して連結されることを特徴とする床板の連結構造。
【請求項２】
第２の床板と第３の床板とが略同厚であることを特徴とする、請求項１記載の床板の連結構造。
【発明の詳細な説明】
【技術分野】
【０００１】
本発明は、床板の連結構造に関する。
【背景技術】
【０００２】
従来、床板の長手方向を揃えて横継ぎする連結構造としては、下記特許文献１に記載されるように、床板の長手方向に沿って延長する一方の側端部に雄実を形成するとともに、他方の側端部には雄実と嵌合する雌実を形成し、一の床板の雄実に他の床板の雌実を嵌合することにより、これら床板同士を長手方向側端部に沿って連結する手法が一般的に採用されている。
【０００３】
【特許文献１】特開平７−１８８３２号公報
【０００４】
上記従来技術は、同じ厚さの床板同士を連結するには有効であるが、たとえば、床板の下に床暖房用の発熱板が敷設される暖房床の場合、発熱板が敷設される箇所と敷設されない箇所とでは発熱板の厚さに相当する分の高さの相違が発生する。これを解消するため、下記特許文献２に提案されるように、発熱板と同厚の板を準備し、この板を、発熱板が敷設されない箇所にあらかじめ敷いて、発熱板が敷設される箇所と敷設されない箇所とで床板表面に段差が生じないようにする必要がある。
【０００５】
【特許文献２】特開平１１−１３２４８２号公報
【発明の開示】
【発明が解決しようとする課題】
【０００６】
しかしながら、発熱板と同厚の板を用いることは、床板施工に必要な部材数を増加させることを意味し、コスト増を招くとともに施工が煩雑になる。特に、大面積のリビングダイニングキッチン（ＬＤＫ）などではリビングおよびダイニングとしての使用が想定される所定の領域のみに床暖房が設置されるのが通例であり、部屋面積に比べて床暖房設置面積が小さく、すなわち、発熱板が敷設されない箇所が広大であり、この広大な面積分に相当する枚数の板を準備して施工しなければならず、コスト増および施工の煩雑化の問題が顕在化する。これが、本発明が解決しようとする課題である。
【課題を解決するための手段】
【０００７】
したがって、本発明は、床暖房の場合のように、厚さの異なる床板同士を連結する場合であっても、異なる床板厚に対応する厚さの板を別途準備し且つ施工する必要がなく、コスト増および煩雑化を招くことなく効率的に施工することができる、新規な床板の連結構造を提供することを目的とする。
【０００８】
この目的を達成するため、本発明による床板の連結構造は、一方木口縁に沿って雄実が形成されるとともに他方木口縁に沿って雌実が形成された第１の床板と、第１の床板より厚いものであって一方木口縁に沿って雄実が形成されるとともに他方木口縁に沿って雌実が形成された第２の床板と、第１の床板の実に嵌合可能な実が一方木口縁に沿って形成されるとともに第２の床板の実に嵌合可能な実が他方木口縁に沿って形成された第３の床板とからなり、第１の床板と第２の床板とが第３の床板を介して連結されることを特徴とする。
【０００９】
第３の床板の厚さは、第１の床板と第２の床板の厚さとの間で任意に選定することができる。たとえば、第３の床板を第１の床板と略同厚としてもよく、この場合は、第１の床板と第２の床板との厚さ寸法差に相当する厚さの板材を第３の床板の下に設ける。また、第３の床板を第２の床板と略同厚としてもよい。
【発明の効果】
【００１０】
本発明によれば、第１の床板と第２の床板とが第３の床板を介して実嵌合により連結されるので、第１の床板と第２の床板とが異なる厚さを有するものであっても、この厚さ相違分に相当する厚さの板を別途準備して用いる必要なしに、簡単に施工することができるとともに他の部屋との取り合いが容易となる。
【００１１】
したがって、本発明は、リビングダイニングキッチン（ＬＤＫ）のように床暖房設置領域の周囲に広い面積が残される場合において、第１の床板が暖房用床板であり、第２の床板が暖房用床板より厚い周辺床板であるときに、これらを第３の床板を介在させて連結するような実施形態として、特に有用である。
【発明を実施するための最良の形態】
【００１２】
本発明による床板の連結構造を暖房床に適用した実施例について、以下、添付図を参照して説明する。
【００１３】
この暖房床は、暖房用床板１０と、暖房用床板１０の周辺に設けられる周辺床板１１と、暖房用床板１０と周辺床板１１ａ，１１ｂとの間に設けられる調整床板１２ａ，１２ｂとを有してなる。この実施形態では、暖房用床板１０は９ｍｍ厚の合板を基材としてその表面に化粧材貼着などによる任意化粧が施されたものであり、周辺床板１１ａ，１１ｂおよび調整床板１２ａ，１２ｂはいずれも１２ｍｍ厚の合板を基材としてその表面に化粧材貼着などによる任意化粧が施されたものである。いずれも化粧は図示省略されている。なお、化粧材はきわめて薄いものであるのでその厚さを無視し、各床板の厚さは上記合板基材の厚さと等しいものとして以下記述する。
【００１４】
暖房用床板１０の下には電熱マット１４が設けられる。電熱マット１４は、弾力性を有する不織布１７を基材とし、この上に電気のヒーター線１５および感熱線１６を貼着し、さらにこれらの上に接して積層体１８を積層して構成されている。積層体１８の一例は、不織布などで形成される表裏のシートの間に熱伝導性および可撓性を有するアルミニウム箔（薄板）を挟んだ３層構造で、表裏のシートの間にアルミニウム箔が貼着されたものである。積層体１８は、ヒーター線１５および感熱線１６を介して不織布１７の全面に設けられ、ヒーター線１５が発生した熱を平面的に分散させて効率良く暖房用床板１０に伝達させるために用いられる。
【００１５】
電熱マット１４は、平面視略左右対称に設けられた一対のマット要素からなり、各マット要素が、上記の不織布１７／ヒーター線１５および感熱線１６／積層体１８の積層構造を有している。
【００１６】
電熱マット１４には、縦長状の薄板である複数の小根太１３が互いに平行に接着されている。小根太１３は、積層体１８と暖房用床板１０との間に設けられ、細長状または短冊状である。小根太１３の材質としては、合板、木質板、木質繊維板（ＭＤＦなど）、木削片板、単板積層板などの木質系を使用することができる。さらに、小根太１３は、ヒーター線１５および感熱線１６と重ならないように配置され、積層体１８および不織布１７を介して木ねじ（ビス）２０により下地材１９に固定される。この場合、不織布１７が弾力性を有するので、小根太１３の下に位置する不織布１７は圧縮された状態にある。小根太１３は、電熱マット１４の中心に対して点対称の位置関係にあり、また、電熱マット１４の縁を基準にして図示のように千鳥状に配置される。
【００１７】
電熱マット１４のヒーター線１５は、小根太１３，１３間に蛇行状に貼着される。感熱線１６は、小根太１３の近傍で且つヒーター線１５に沿って設けられる。ヒーター線１５と感熱線１６は重ならないように配置される。感熱線１６は、ヒーター線１５による異常過熱を感知し防止する作用を果たす。
【００１８】
下地材１９の材料は、たとえば合板、木質板、木質繊維板（ＭＤＦなど）などの木質系を使用する。下地材の厚みはたとえば１５ｍｍである。
【００１９】
平面視左右対称に設けられる電熱マット１４の略中心線上には、ヒーター線１５が接続されるコネクタ２１が配置され、このコネクタ２１から、図示されないコントローラまでケーブル２２が延長している。ケーブル２２は、図１に示すように調整床板１２ａ，１２ｂおよび周辺床板１１ａ，１１ｂの下方（床下）を通して配線することができるが、調整床板１２ａ，１２ｂおよび周辺床板１１ａ，１１ｂの裏面側を一部切り欠いて形成した配線用の通路に配線してもよく、あるいは、電熱マット１４と調整床板１２ａ，１２ｂとの間の裏面側に形成される溝２４（図２，図５，図６）に通して図１の左右いずれかの側に導出するようにしてもよい。
【００２０】
前述のように暖房用床板１０の厚さは９ｍｍであるが、その下方に設けられる小根太１３および電熱マット１４の合計厚（より厳密に言えば、小根太１３の下方に不織布１７と積層体１８が重なり合って不織布が圧縮された状態で配置されたときのこれらの合計厚）が３ｍｍとなるように設定されているので、下地材１９表面から暖房用床板１０表面までの見掛け上の厚さは１２ｍｍとなり、周辺床板１１ａ，１１ｂおよび調整床板１２ａ，１２ｂの厚さと同一である。電熱マット１４が暖房用床板１０の四周縁に略密接して設けられることにより、床板の耐荷重性や耐キャスター性が良好となる。
【００２１】
暖房用床板１０の長手方向に延長する両側縁の一方には雄実２５が形成されるとともに、他側縁には雌実２６が形成され、これら雄実２５および雌実２６同士の嵌合を介して暖房用床板１０，１０同士を横継ぎ連結して施工することができる。
【００２２】
調整床板１２ａの長手方向に延長する両側縁の一方には、暖房用床板１０が電熱マット１４上に載置された状態でその雄実２５を嵌合する雌実２７が形成されるとともに、他側縁には、周辺床板１１ａの長手方向に延長する一側縁に形成された雌実２９に嵌合する雄実２８が形成される（図５）。また、調整床板１２ｂの長手方向に延長する両側縁の一方には、暖房用床板１０が電熱マット１４上に載置された状態でその雌実２６に嵌合する雄実３１が形成されるとともに、他側縁には、周辺床板１１ｂの長手方向に延長する一側縁に形成された雄実３０を嵌合する雌実３２が形成される（図６）。周辺床板１１ａ，１１ｂおよび調整床板１２ａ，１２ｂはすべて同厚であるので、これらを連結するための雄実２５と雌実２７，雄実３０と雌実３２は、床板の厚さ方向において同一の高さ位置に形成されているが、調整床板１２ａ，１２ｂにおける実２７，３１は、電熱マット１４上に載置された状態でその実２５，２６に対して嵌合するような高さ位置に形成され、板厚の異なる暖房用床板１０との連結を可能にしている。
【００２３】
以上のように構成される暖房床の施工は、一例として、次の順序で行うことができる。
【００２４】
（１）まず、暖房床を施工する箇所に下地材１９を貼る。
【００２５】
（２）部屋の大きさと暖房所要箇所を考慮して下地材１９上に施工すべき電熱マット１４の位置を決め、これに応じて電熱マット１４のコネクタ２１を取り付けるための穴（図示せず）を下地材１９にあけ、電熱マット１４を所定位置に配置するとともに、コネクタ２１を下地材１９の穴に配置して固定する。電熱マット１４にはあらかじめ小根太１３が取り付けられているので、小根太１３から下地材１９にビス２０を打ち込むことにより、電熱マット１４を所定位置に固定することができる。
【００２６】
（３）コネクタ２１から出ているケーブル２２を床下配線その他既述したような要領にて配線し、壁内を通してコントローラに接続する。
【００２７】
（４）コントローラの操作を介して電熱マット１４の通電試験を行い、電熱マット１４が正常に作動することを確認する。
【００２８】
（５）雄実３０を有する周辺床板１１ｂを施工する。周辺床板１１ｂの施工は、接着剤、両面テープ、雄実３０部分での釘打ち、その他任意の固着手段を用いて行うことができる。このとき、暖房用床板１０が所定の位置に配置されるように、周辺床板１１ｂの使用枚数および幅の調整を行っておく。
【００２９】
（６）周辺床板１１ｂの雄実３０に調整床板１２ｂの雌実３２を嵌合させることによって調整床板１２ｂを施工し、さらに、この調整床板１２ｂの雄実３１を暖房用床板１０の雌実２６に嵌合することによって暖房用床板１０を施工する（図６）。調整床板１２ｂの施工は、接着剤、両面テープ、雄実３１部分での釘打ち、その他任意の固着手段を用いて行うことができる。
【００３０】
（７）雄実２５と雌実２６との嵌合を介して所定列数（図示の実施形態では合計６列）の暖房用床板１０を順次横継ぎ施工する。なお、（６）および（７）において、暖房用床板１０の施工は、小根太１３が存在する位置において雄実２５に釘を打ち込んで小根太１３および下地材１９に固定することによって行うことが好ましい。このとき、小根太１３上に接着剤を塗布しておき、釘と接着剤の併用によって暖房用床板１０を固定するようにしてもよい。
【００３１】
（８）最終列の暖房用床板１０の雄実２５を調整床板１２ａの雌実２７に嵌合することによって調整床板１２ａを施工し、さらに、周辺床板１１ａの使用枚数および幅の調整を行ってから、この調整床板１２ａの雄実２８を周辺床板１１ａの雌実２９に嵌合することによって周辺床板１１ａを施工する（図５）。調整床板１２ａおよび周辺床板１１ａの施工は、調整床板１２ｂおよび周辺床板１１ｂの施工について既述したと同様にして行うことができる。
【００３２】
（９）最後に壁材（図示せず）を施工して、暖房床の施工が完了する。
【００３３】
本発明においては、調整床板１２ａ，１２ｂを介在させることによって、暖房用床板１０よりも厚い周辺床板１１ａ，１１ｂの施工が可能となり、施工の簡略化とともに他の部屋との取り合いが容易となる。
【図面の簡単な説明】
【００３４】
【図１】本発明による床板の連結構造を暖房床に適用した実施例を示す該暖房床の平面図である。
【図２】図１中Ａ−Ａ線による断面図である。
【図３】図１中Ｂ−Ｂ線による断面図である。
【図４】図１から暖房用床板、周辺床板および調整床板を除いた状態の平面図である。
【図５】図２中Ｃ部拡大断面図である。
【図６】図２中Ｄ部拡大断面図である。
【符号の説明】
【００３５】
１０  暖房用床板（第１の床板）
１１ａ，１１ｂ  周辺床板（第２の床板）
１２ａ，１２ｂ  調整床板（第３の床板）
１３  小根太
１４  電熱マット
１９  下地材
２５  暖房用床板の雄実
２６  暖房用床板の雌実
２７  調整床板の雌実
２８  調整床板の雄実
２９  周辺床板の雌実
３０  周辺床板の雄実
【図１】
2005048559.tif 000003
【図２】
2005048559.tif 000004
【図３】
2005048559.tif 000005
【図４】
2005048559.tif 000006
【図５】
2005048559.tif 000007
【図６】
2005048559.tif 000008